(57)【要約】【課題】複数のＭＡＣ処理部を含むＯＮＵを効率的に管理することを可能にするための技術を提供する。【解決手段】宅側装置（ＯＮＵ）１０２は、複数のＭＡＣ（Ｍｅｄｉａ  Ａｃｃｅｓｓ  Ｃｏｎｔｒｏｌ）処理部１１３と、複数のＭＡＣ処理部１１３をグループ化するためのグループ化情報を記憶する記憶部１１６とを備える。【選択図】図２
2018023005.tif 000002
【特許請求の範囲】
【請求項１】
複数のＭＡＣ（Ｍｅｄｉａ  Ａｃｃｅｓｓ  Ｃｏｎｔｒｏｌ）処理部と、
前記複数のＭＡＣ処理部をグループ化するためのグループ化情報を記憶する記憶部とを備える、宅側装置。
【請求項２】
前記グループ化情報は、
前記複数のＭＡＣ処理部の中から代表のＭＡＣ処理部を設定するための第１の情報と、
前記複数のＭＡＣ処理部を一括して扱う項目を含む第２の情報とを備え、
前記宅側装置は、前記第１の情報および前記第２の情報を、前記宅側装置の外部に出力するように構成される、請求項１に記載の宅側装置。
【請求項３】
前記第２の情報は、さらに、前記複数のＭＡＣ処理部を個別に扱う項目を含み、
前記宅側装置は、前記第２の情報に含まれるべき前記項目が、前記複数のＭＡＣ処理部を一括して扱う項目であるか、または、前記複数のＭＡＣ処理部を個別に扱う項目であるかを決定する、請求項２に記載の宅側装置。
【請求項４】
前記宅側装置は、前記宅側装置の外部から受信した前記複数のＭＡＣ処理部の一括または個別の扱いに関する情報と、前記宅側装置が生成した前記第２の情報とに基づいて、前記第２の情報に含まれるべき前記項目が、前記複数のＭＡＣ処理部を一括して扱う項目であるか、または、前記複数のＭＡＣ処理部を個別に扱う項目であるかを決定する、請求項２または請求項３に記載の宅側装置。
【請求項５】
前記複数のＭＡＣ処理部を一括して扱う前記項目は、ファームウェアの前記宅側装置へのダウンロードを含む、請求項２から請求項４のいずれか１項に記載の宅側装置。
【請求項６】
前記複数のＭＡＣ処理部を一括して扱う前記項目は、前記宅側装置の異常監視を含む、請求項２から請求項５のいずれか１項に記載の宅側装置。
【請求項７】
複数のＭＡＣ（Ｍｅｄｉａ  Ａｃｃｅｓｓ  Ｃｏｎｔｒｏｌ）処理部を含む宅側装置と光通信を行う局側装置であって、
前記宅側装置の前記複数のＭＡＣ処理部をグループ化するためのグループ化情報を記憶する記憶部と、
前記宅側装置の前記複数のＭＡＣ処理部を前記グループ化情報に従って一括して扱うための情報を、光通信回線を通じて送信または受信する光送受信回路とを備える、局側装置。
【請求項８】
前記局側装置は、前記宅側装置から前記グループ化情報を受信して、前記グループ化情報を前記記憶部に記憶する、請求項７に記載の局側装置。
【請求項９】
前記グループ化情報は、
前記複数のＭＡＣ処理部の中から代表のＭＡＣ処理部を設定するための第１の情報と、
前記複数のＭＡＣ処理部を一括して扱う項目を含む第２の情報とを備え、
前記局側装置は、前記局側装置が生成した前記第２の情報と、前記宅側装置からの前記第２の情報とに基づいて、前記記憶部に記憶されるべき前記第２の情報を生成する、請求項７または請求項８に記載の局側装置。
【請求項１０】
前記局側装置は、管理装置から前記グループ化情報を受信して、前記グループ化情報を前記記憶部に記憶する、請求項７に記載の局側装置。
【請求項１１】
前記局側装置は、前記グループ化情報に従って、前記宅側装置に含まれる前記複数のＭＡＣ処理部の各々からの情報を集約する、請求項７から請求項１０のいずれか１項に記載の局側装置。
【請求項１２】
光通信回線と、
複数のＭＡＣ（Ｍｅｄｉａ  Ａｃｃｅｓｓ  Ｃｏｎｔｒｏｌ）処理部を含む宅側装置と、
局側装置とを備え、
前記宅側装置が前記光通信回線を通じて前記局側装置に接続されることにより、前記局側装置は、前記複数のＭＡＣ処理部をグループ化するためのグループ化情報を前記局側装置に登録する、光通信システム。
【請求項１３】
複数のＭＡＣ（Ｍｅｄｉａ  Ａｃｃｅｓｓ  Ｃｏｎｔｒｏｌ）処理部を含む宅側装置が光通信回線を通じて局側装置に接続されるステップと、
前記複数のＭＡＣ処理部をグループ化するためのグループ化情報を前記局側装置に登録するステップとを備える、光通信システムの制御方法。
【請求項１４】
前記複数のＭＡＣ処理部の各々が、情報を前記局側装置に送信するステップと、
前記局側装置が、前記グループ化情報に基づいて、前記複数のＭＡＣ処理部の各々からの前記情報を集約するステップとをさらに備える、請求項１３に記載の光通信システムの制御方法。
【発明の詳細な説明】
【技術分野】
【０００１】
本発明は、宅側装置、局側装置、光通信システム、および光通信システムの制御方法に関する。
【背景技術】
【０００２】
ＰＯＮ（Ｐａｓｓｉｖｅ  Ｏｐｔｉｃａｌ  Ｎｅｔｗｏｒｋ）は、媒体共有型通信の一形態である。ＰＯＮシステムにおいて、複数の宅側装置（ＯＮＵ：Ｏｐｔｉｃａｌ  Ｎｅｔｗｏｒｋ  Ｕｎｉｔ）が光通信回線を共有する。複数のＯＮＵは、局側装置（ＯＬＴ：Ｏｐｔｉｃａｌ  Ｌｉｎｅ  Ｔｅｒｍｉｎａｌ）との間でデータを伝送する。
【０００３】
特開２０１５−３３００３号公報（特許文献１）は、ＯＮＵの１つの構成例を開示する。このＯＮＵは、波長可変光送受信器、ＰＨＹ（Ｐｈｙｓｉｃａｌ）／ＭＡＣ（Ｍｅｄｉａ  Ａｃｃｅｓｓ  Ｃｏｎｔｒｏｌ）処理部、およびＵＮＩ（Ｕｓｅｒ  Ｎｅｔｗｒｏｋ  Ｉｎｔｅｒｆａｃｅ）処理部を備える。ＰＨＹ／ＭＡＣ処理部の数は１であり、ＵＮＩ処理部の数は１である。
【先行技術文献】
【特許文献】
【０００４】
【特許文献１】特開２０１５−３３００３号公報
【発明の概要】
【発明が解決しようとする課題】
【０００５】
ＯＬＴは、基本的に、ＭＡＣ処理部を単位としてＯＮＵを管理あるいは制御する。複数のＭＡＣ処理部を含むＯＮＵが光通信回線に接続された際には、ＯＬＴは、そのＯＮＵに対する設定あるいは管理を、ＭＡＣ処理部ごとに個別に行う。しかしながら、そのような管理がＯＬＴにとって非効率的な場合も生じうる。
【０００６】
本発明の目的は、複数のＭＡＣ処理部を含むＯＮＵを効率的に管理することを可能にするための技術を提供することである。
【課題を解決するための手段】
【０００７】
本発明の一態様に係る宅側装置は、複数のＭＡＣ（Ｍｅｄｉａ  Ａｃｃｅｓｓ  Ｃｏｎｔｒｏｌ）処理部と、複数のＭＡＣ処理部をグループ化するためのグループ化情報を記憶する記憶部とを備える。
【０００８】
本発明の一態様に係る局側装置は、複数のＭＡＣ（Ｍｅｄｉａ  Ａｃｃｅｓｓ  Ｃｏｎｔｒｏｌ）処理部を含む宅側装置と光通信を行う局側装置であって、宅側装置の複数のＭＡＣ処理部をグループ化するためのグループ化情報を記憶する記憶部と、宅側装置の複数のＭＡＣ処理部をグループ化情報に従って一括して扱うための情報を、光通信回線を通じて送信または受信する光送受信回路とを備える。
【０００９】
本発明の一態様に係る光通信システムは、光通信回線と、複数のＭＡＣ（Ｍｅｄｉａ  Ａｃｃｅｓｓ  Ｃｏｎｔｒｏｌ）処理部を含む宅側装置と、局側装置とを備える。宅側装置が光通信回線を通じて局側装置に接続されることにより、局側装置は、複数のＭＡＣ処理部をグループ化するためのグループ化情報を局側装置に登録する。
【００１０】
本発明の一態様に係る光通信システムの制御方法は、複数のＭＡＣ（Ｍｅｄｉａ  Ａｃｃｅｓｓ  Ｃｏｎｔｒｏｌ）処理部を含む宅側装置が光通信回線を通じて局側装置に接続されるステップと、複数のＭＡＣ処理部をグループ化するためのグループ化情報を局側装置に登録するステップとを備える。
【発明の効果】
【００１１】
上記によれば、複数のＭＡＣ処理部を含むＯＮＵを効率的に管理することができる。
【図面の簡単な説明】
【００１２】
【図１】本発明の一実施形態に係るＰＯＮシステムの概略構成を示すブロック図である。
【図２】本発明の第１の実施形態に係るＯＮＵの構成を概略的に示したブロック図である。
【図３】本発明の第１の実施形態に係るＯＬＴの構成を概略的に示したブロック図である。
【図４】ＯＮＵの記憶部に記憶されるグループ化情報の例を示した図である。
【図５】ＯＬＴの記憶部に記憶されるグループ化情報の例を示した図である。
【図６】ＯＬＴが、グループＭＡＣリストおよび一括管理可能リストを登録する処理の例を説明するためのシーケンス図である。
【図７】ＯＬＴが、グループＭＡＣリストおよび一括管理可能リストを登録する処理の別の例を説明するためのシーケンス図である。
【図８】ＯＬＴおよびＯＮＵに登録されたグループＭＡＣリストおよび一括管理可能リストに基づく、ＯＬＴの管理の例を示したシーケンス図である。
【図９】ＯＬＴおよびＯＮＵに登録されたグループＭＡＣリストおよび一括管理可能リストに基づく、ＯＬＴの管理の別の例を示したシーケンス図である。
【図１０】本発明の第２の実施の形態に係るＯＮＵの構成の一例を示したブロック図である。
【図１１】本発明の第２の実施の形態において、ＯＬＴが、グループＭＡＣリストおよび一括管理可能リストを登録する処理の例を説明するためのシーケンス図である。
【図１２】ＯＬＴに登録されたグループＭＡＣリストおよび一括管理可能リストに基づく、ＯＬＴの管理の例を示したシーケンス図である。
【図１３】ＯＬＴに登録されたグループＭＡＣリストおよび一括管理可能リストに基づく、ＯＬＴの管理の別の例を示したシーケンス図である。
【発明を実施するための形態】
【００１３】
[本発明の実施形態の説明]
最初に本発明の実施態様を列記して説明する。
【００１４】
（１）本発明の一態様に係る宅側装置は、複数のＭＡＣ（Ｍｅｄｉａ  Ａｃｃｅｓｓ  Ｃｏｎｔｒｏｌ）処理部と、複数のＭＡＣ処理部をグループ化するためのグループ化情報を記憶する記憶部とを備える。
【００１５】
上記によれば、宅側装置（ＯＮＵ）に記憶されたグループ情報に基づいて、複数のＭＡＣ処理部を一括して管理することができる。したがって、複数のＭＡＣ処理部を含むＯＮＵを効率的に管理することができる。
【００１６】
（２）好ましくは、グループ化情報は、複数のＭＡＣ処理部の中から代表のＭＡＣ処理部を設定するための第１の情報と、複数のＭＡＣ処理部を一括して扱う項目を含む第２の情報とを備える。宅側装置は、第１の情報および第２の情報を、宅側装置の外部に出力するように構成される。
【００１７】
上記によれば、宅側装置の外部の装置は、宅側装置からグループ化情報を取得することができる。たとえば局側装置（ＯＬＴ）は、そのグループ化情報に基づいて宅側装置に含まれる複数のＭＡＣ処理部を一括して管理することができる。
【００１８】
（３）好ましくは、第２の情報は、さらに、複数のＭＡＣ処理部を個別に扱う項目を含む。宅側装置は、第２の情報に含まれるべき項目が、複数のＭＡＣ処理部を一括して扱う項目であるか、または、複数のＭＡＣ処理部を個別に扱う項目であるかを決定する。
【００１９】
上記によれば、項目に応じて、複数のＭＡＣ処理部を個別に扱うか、または一括で扱うかを切換えることができる。
【００２０】
（４）好ましくは、宅側装置は、宅側装置の外部から受信した複数のＭＡＣ処理部の一括または個別の扱いに関する情報と、宅側装置が生成した第２の情報とに基づいて、第２の情報に含まれるべき項目が、複数のＭＡＣ処理部を一括して扱う項目であるか、または、複数のＭＡＣ処理部を個別に扱う項目であるかを決定する。
【００２１】
上記によれば、宅側装置は、自身の情報に加えて、宅側装置が受信した情報に基づいて、複数のＭＡＣ処理部を一括して扱う項目と、複数のＭＡＣ処理部を個別に扱う項目とを決定する。これにより、複数のＭＡＣ処理部の管理に関する第２の情報を更新あるいは追加することができる。
【００２２】
（５）好ましくは、複数のＭＡＣ処理部を一括して扱う項目は、ファームウェアの宅側装置へのダウンロードを含む。
【００２３】
上記によれば、代表のＭＡＣ処理部がファームウェアを受信して、そのファームウェアを各ＭＡＣ処理部に転送することができる。
【００２４】
（６）好ましくは、複数のＭＡＣ処理部を一括して扱う項目は、宅側装置の異常監視を含む。
【００２５】
上記によれば、宅側装置の監視結果に関する情報を代表のＭＡＣ処理部により生成することができる。したがって、複数のＭＡＣ処理部を含むＯＮＵを効率的に管理することができる。
【００２６】
（７）本発明の一態様に係る局側装置は、複数のＭＡＣ（Ｍｅｄｉａ  Ａｃｃｅｓｓ  Ｃｏｎｔｒｏｌ）処理部を含む宅側装置と光通信を行う局側装置であって、宅側装置の複数のＭＡＣ処理部をグループ化するためのグループ化情報を記憶する記憶部と、宅側装置の複数のＭＡＣ処理部をグループ化情報に従って一括して扱うための情報を、光通信回線を通じて送信または受信する光送受信回路とを備える。
【００２７】
上記によれば、局側装置は、宅側装置に含まれる複数のＭＡＣ処理部を一括して管理することができる。したがって宅側装置を効率的に管理することができる。
【００２８】
（８）好ましくは、局側装置は、宅側装置からグループ化情報を受信して、グループ化情報を記憶部に記憶する。
【００２９】
上記によれば、局側装置は、複数のＭＡＣ処理部のグループ化に関する情報を自ら生成することなく取得可能である。
【００３０】
（９）好ましくは、グループ化情報は、複数のＭＡＣ処理部の中から代表のＭＡＣ処理部を設定するための第１の情報と、複数のＭＡＣ処理部を一括して扱う項目を含む第２の情報とを備える。局側装置は、局側装置が生成した第２の情報と、宅側装置からの第２の情報とに基づいて、記憶部に記憶されるべき第２の情報を生成する。
【００３１】
上記によれば、局側装置は、自身の情報に加えて、局側装置が受信した情報に基づいて、複数のＭＡＣ処理部を一括して扱う項目と、複数のＭＡＣ処理部を個別に扱う項目とを決定する。これにより、複数のＭＡＣ処理部の管理に関する第２の情報を更新あるいは追加することができる。
【００３２】
（１０）好ましくは、局側装置は、管理装置からグループ化情報を受信して、グループ化情報を記憶部に記憶する。
【００３３】
上記によれば、局側装置は、複数のＭＡＣ処理部のグループ化に関する情報を自ら生成することなく取得可能である。
【００３４】
（１１）好ましくは、局側装置は、グループ化情報に従って、宅側装置に含まれる複数のＭＡＣ処理部の各々からの情報を集約する。
【００３５】
上記によれば、複数のＭＡＣ処理部の各々から同一の情報（たとえば宅側装置の異常に関する情報）が局側装置に送られた場合、局側装置は、それらの情報が重複していると判断するとともに、それらの情報を１つにまとめることができる。したがって、宅側装置を効率的に管理することができる。
【００３６】
（１２）本発明の一態様に係る光通信システムは、光通信回線と、複数のＭＡＣ（Ｍｅｄｉａ  Ａｃｃｅｓｓ  Ｃｏｎｔｒｏｌ）処理部を含む宅側装置と、局側装置とを備える。宅側装置が光通信回線を通じて局側装置に接続されることにより、局側装置は、複数のＭＡＣ処理部をグループ化するためのグループ化情報を局側装置に登録する。
【００３７】
上記によれば、局側装置は、宅側装置に含まれる複数のＭＡＣ処理部を一括して管理することができる。したがって宅側装置を効率的に管理することができる。
【００３８】
（１３）本発明の一態様に係る光通信システムの制御方法は、複数のＭＡＣ（Ｍｅｄｉａ  Ａｃｃｅｓｓ  Ｃｏｎｔｒｏｌ）処理部を含む宅側装置が光通信回線を通じて局側装置に接続されるステップと、複数のＭＡＣ処理部をグループ化するためのグループ化情報を局側装置に登録するステップとを備える。
【００３９】
上記によれば、局側装置は、宅側装置に含まれる複数のＭＡＣ処理部を一括して管理することができる。したがって宅側装置を効率的に管理することができる。
【００４０】
（１４）好ましくは、光通信システムの制御方法は、複数のＭＡＣ処理部の各々が、情報を局側装置に送信するステップと、局側装置が、グループ化情報に基づいて、複数のＭＡＣ処理部の各々からの情報を集約するステップとをさらに備える。
【００４１】
上記によれば、複数のＭＡＣ処理部の各々から同一の情報が局側装置に送られた場合、局側装置は、それらの情報が重複していると判断するとともに、それらの情報を１つにまとめることができる。したがって、宅側装置を効率的に管理することができる。
【００４２】
[本発明の実施形態の詳細]
以下、本発明の実施形態について、図面を参照しながら詳細に説明する。なお、図中同一または相当部分には同一符号を付してその説明は繰り返さない。
【００４３】
図１は、本発明の一実施形態に係るＰＯＮシステムの概略構成を示すブロック図である。図１に示すように、ＰＯＮシステム１００は、局側装置（ＯＬＴ）１０１と、複数の宅側装置（ＯＮＵ）１０２と、ＰＯＮ回線１０３と、光スプリッタ１０４とを備える。
【００４４】
各々のＯＮＵ１０２には、ユーザ端末（図示せず）が接続される。各ＯＮＵ１０２に接続されるユーザ端末の数は特に限定されない。ユーザ端末の種類も特に限定されない。
【００４５】
ユーザ端末はＯＮＵ１０２に直接接続されるように限定されない。ＯＮＵ１０２にユーザネットワークが接続されてもよい。ユーザ端末は、そのユーザネットワークを介してＯＮＵ１０２に接続されてもよい。
【００４６】
ＰＯＮ回線１０３は、光ファイバにより構成された光通信回線である。ＰＯＮ回線１０３は、幹線光ファイバ１０５および複数の支線光ファイバ１０６を含む。光スプリッタ１０４は、幹線光ファイバ１０５および複数の支線光ファイバ１０６に接続される。
【００４７】
ＯＬＴ１０１から送信された光信号は、ＰＯＮ回線１０３を通り、光スプリッタ１０４によって複数のＯＮＵ１０２へと分岐される。一方、各ＯＮＵ１０２から送信された光信号は、光スプリッタ１０４によって集束されるとともに、ＰＯＮ回線１０３を通ってＯＬＴ１０１に送られる。光スプリッタ１０４は、外部からの電源供給を特に必要とすることなく、入力された信号から受動的に信号を分岐または多重する。
【００４８】
各ＯＮＵから送信される光信号は光スプリッタ１０４において合流する。各ＯＮＵからの信号が光スプリッタ１０４で合流した後に衝突しないための制御が必要である。ＯＬＴ１０１は、各ＯＮＵ１０２から送信された制御フレーム（レポート）に基づいて、そのＯＮＵ１０２の内部に蓄積されたデータの送信開始時刻および送信許可量を演算する。次に、ＯＬＴ１０１は、指示信号を挿入した制御フレーム（グラント）を、ＰＯＮ回線１０３および光スプリッタ１０４を介してそれぞれのＯＮＵ１０２に送信する。
【００４９】
各ＯＮＵ１０２は、グラントによって指定された時刻に、自己のバッファ内のデータの長さをレポートでＯＬＴ１０１に通知する。各ＯＮＵ１０２は、指示信号が挿入されたグラントをＯＬＴ１０１から受信する。その指示信号に基づいて、各ＯＮＵ１０２は、自己のバッファ内のデータをレポートとともにＯＬＴ１０１に送信する。
【００５０】
ＯＬＴ１０１は、ディスカバリ処理を実行することによりＰＯＮ回線１０３上のＯＮＵ１０２を検出する。さらにＯＬＴ１０１は、その検出されたＯＮＵ１０２をＯＬＴ１０１の内部に登録するための登録処理を実行する。
【００５１】
ＯＬＴ１０１は管理装置１０７に接続される。管理装置１０７は、ＰＯＮシステム１００を監視する。ＯＬＴ１０１、あるいは複数のＯＮＵ１０２のうちのいずれかに異常が発生した場合には、管理装置１０７は、その異常を通知するための処理を実行する。
【００５２】
本発明の実施の形態では、複数のＯＮＵ１０２のうちの少なくとも１つは、複数のＭＡＣ処理部を含む。そのＯＮＵにおいて、複数のＭＡＣ処理部の中から代表のＭＡＣ処理部が決定される。複数のＭＡＣ処理部を一括して管理あるいは制御するのが好ましい項目について、ＯＬＴ１０１は、代表のＭＡＣ処理部に対する管理あるいは制御を実行する。本発明の実施の形態について、以下に詳細に説明する。
【００５３】
（第１の実施の形態）
図２は、本発明の第１の実施形態に係るＯＮＵ１０２の構成を概略的に示したブロック図である。図２に示すように、ＯＮＵ１０２は、電源１１０と、光トランシーバ１１１と、通信経路設定部１１２と、複数のＭＡＣ処理部１１３と、複数のＵＮＩポート１１４と、制御部１１５と、記憶部１１６とを備える。
【００５４】
電源１１０は、ＯＮＵ１０２に電力を供給する。光トランシーバ１１１は、支線光ファイバ１０６に光学的に接続される。光トランシーバ１１１は、光信号を送信および受信するための回路である。光トランシーバ１１１は、光信号と電気信号とを相互に変換できるように構成される。光トランシーバ１１１は、ＯＬＴ１０１から光信号の形態で送られた下り信号を電気信号に変換する。光トランシーバ１１１は、複数のＭＡＣ処理部１１３のいずれかから電気信号の形態で送られた上り信号を光信号に変換する。
【００５５】
通信経路設定部１１２は、光トランシーバ１１１と、複数のＭＡＣ処理部１１３との間の通信経路を設定する。通信経路設定部１１２は、集約部１２１と、分配部１２２とを備える。集約部１２１は、複数のＭＡＣ処理部１１３にそれぞれ接続される複数の通信経路を集約する。分配部１２２は、ＯＬＴ１０１から送信された下り信号を複数のＭＡＣ処理部１１３に分配する。
【００５６】
上述の機能を達成するための集約部１２１および分配部１２２の構成は限定されない。集約部１２１は、電気スイッチであってもよく、論理回路であってもよい。分配部１２２は、配線であってもよく、論理回路であってもよい。
【００５７】
ＭＡＣ処理部１１３は、下り信号および上り信号に対して各種の処理を施す。下り信号は、その宛先を示すＭＡＣアドレスを含む。下り信号のＭＡＣアドレスが自己のＭＡＣアドレスに一致する場合、ＭＡＣ処理部１１３は、下り信号に含まれる制御フレームに応じた処理を実行する。たとえばＭＡＣ処理部１１３は、下り信号に含まれるデータフレームを、対応するＵＮＩポート１１４へと送信する。ＭＡＣ処理部１１３は、上記の処理に加えて、たとえば復号処理および誤り訂正処理などの各種の処理を実行してもよい。
【００５８】
ＭＡＣ処理部１１３は、ＵＮＩポートからフレームを受信して、フレームのヘッダを解析する。ＭＡＣ処理部１１３は、そのフレームを一旦蓄積する。ＯＬＴ１０１からの命令に従って、複数のＭＡＣ処理部１１３のうちの１つのＭＡＣ処理部が、バーストイネーブル信号とともにフレームを送信する。
【００５９】
ＵＮＩポート１１４は、ユーザ端末装置１３１あるいはユーザネットワークに接続される。ＵＮＩポート１１４は、ＭＡＣ処理部１１３から送られたデータフレームを出力する。一方、ＵＮＩポート１１４は、ユーザ端末装置１３１あるいはユーザネットワークからデータフレームを受ける。ＵＮＩポート１１４は、そのデータフレームをＭＡＣ処理部１１３に転送する。
【００６０】
制御部１１５は、光トランシーバ１１１、通信経路設定部１１２および複数のＭＡＣ処理部１１３を制御する。記憶部１１６は、複数のＭＡＣ処理部１１３をグループ化するための情報である、グループ化情報を記憶する。
【００６１】
ＯＮＵ１０２の内部の構成は図２に示されたように限定されない。一例では、制御部１１５と、複数のＭＡＣ処理部１１３と通信経路設定部１１２とが集積されてもよい。あるいは制御部１１５と、記憶部１１６とが集積化されていてもよい。
【００６２】
図３は、本発明の第１の実施形態に係るＯＬＴ１０１の構成を概略的に示したブロック図である。図３に示すように、ＯＬＴ１０１は、光トランシーバ１３３と、通信処理部１３４と、制御部１３５と、記憶部１３６とを備える。
【００６３】
光トランシーバ１３３は、幹線光ファイバ１０５に光学的に接続される。光トランシーバ１１１と同じく、光トランシーバ１３３は、光信号と電気信号とを相互に変換できるように構成される。光トランシーバ１３３は、ＯＮＵ１０２から光信号（バースト光信号）の形態で送られた上り信号を電気信号に変換する。一方、光トランシーバ１３３は、通信処理部１３４から電気信号の形態で送られた下り信号を光信号に変換する。光トランシーバ１３３は、その光信号を幹線光ファイバ１０５に送出する。
【００６４】
通信処理部１３４は、ＯＮＵ１０２、あるいは図示しない上位装置との間の通信に必要な各種の処理を実行する。制御部１３５は、光トランシーバ１３３および通信処理部１３４を制御する。記憶部１３６は、制御部１３５による制御のための各種の情報を記憶する。ＯＮＵ１０２の記憶部１１６と同じく、記憶部１３６は、ＯＮＵ１０２に含まれる複数のＭＡＣ処理部１１３のグループ化情報を記憶する。制御部１３５は、このグループ化情報に基づいて、ＯＮＵ１０２の各種の条件を設定する、あるいはＯＮＵ１０２を管理する。
【００６５】
図４は、ＯＮＵ１０２の記憶部１１６に記憶されるグループ化情報の例を示した図である。図４を参照して、ＯＮＵ１０２の記憶部１１６は、グループＭＡＣリスト１１と、一括管理可能リスト１２とを含む。
【００６６】
１つのＯＮＵ１０２に含まれるＭＡＣ処理部によって１つのグループが形成される。グループＭＡＣリスト１１は、当該ＯＮＵを識別するためのＯＮＵ名（図４の例では、ＯＮＵ−１）と、グループＭＡＣアドレスと、代表ＭＡＣアドレスとを含む。グループＭＡＣリスト１１は、複数のＭＡＣ処理部１１３の中から代表のＭＡＣ処理部を設定するための情報である。
【００６７】
グループＭＡＣアドレスは、グループを構成するＭＡＣ処理部１１３のそれぞれのＭＡＣアドレスである。代表ＭＡＣアドレスは、複数のＭＡＣ処理部１１３のうち、グループの代表であるＭＡＣ処理部１１３のＭＡＣアドレスである。
【００６８】
代表ＭＡＣアドレスを決定する方法は特に限定されない。たとえば複数のＭＡＣアドレスのうちの最小のアドレスを代表アドレスとすることができる。複数のＭＡＣアドレスのうちの最大のアドレスを代表アドレスとしてもよい。
【００６９】
一括管理可能リスト１２は、ＯＮＵ１０２の設定および管理に関する項目を含む。具体的には、一括管理可能リスト１２は、複数のＭＡＣ処理部１１３を一括して扱う項目を含む。さらに、一括管理可能リスト１２は、複数のＭＡＣ処理部１１３を個別に扱う項目を含む。図４に示された例において、上り（アップストリーム）データ送信の際の帯域設定は、複数のＭＡＣ処理部を一括して扱う項目である。一方、下り（ダウンストリーム）データの受信の帯域設定は、複数のＭＡＣ処理部１１３を個別に扱う項目である。
【００７０】
図５は、ＯＬＴ１０１の記憶部１３６に記憶されるグループ化情報の例を示した図である。図５を参照して、ＯＬＴ１０１の記憶部１３６は、グループＭＡＣリスト２１と、ＯＮＵ１０２ごとの一括管理可能リスト２２とを保持する。グループＭＡＣリスト２１は、各々のＯＮＵ１０２のグループＭＡＣリスト１１を合わせたものに相当する。グループＭＡＣリスト２１は、ＯＮＵ１０２ごとに、グループＭＡＣアドレスおよび代表ＭＡＣアドレスを含む。
【００７１】
各々の一括管理可能リスト２２は、その一括管理可能リスト２２に紐づけられたＯＮＵ１０２に含まれる複数のＭＡＣ処理部１１３を一括して扱う項目を含む。さらに、一括管理可能リスト２２は、それら複数のＭＡＣ処理部１１３を個別に扱う項目を含む。
【００７２】
一括管理可能リスト１２，２２に登録される情報（項目）は、上記のように限定されない。たとえば、複数のＭＡＣ処理部１１３に共通する項目、言い換えるとＯＮＵ１０２に１つのみ存在するものについては、ＯＮＵ１０２として一括的に制御あるいは管理することができる。具体的な項目の例として、ＯＮＵ１０２の電源の制御（たとえばＯＮＵ１０２の再起動）、ＯＬＴ１０１とＯＮＵ１０２との間の物理的距離（ファイバ長）、光トランシーバ１１１（たとえばＳＦＰ（Ｓｍａｌｌ  Ｆｏｒｍ−ｆａｃｔｏｒ  Ｐｌｕｇｇａｂｌｅ）光トランシーバ）の状態監視がある。したがって、これらの項目は、一括管理可能リスト１２，２２において、複数のＭＡＣ処理部を一括して扱う項目として登録することができる。
【００７３】
さらに、制御あるいは管理の単位が、個々のＭＡＣ処理部１１３であってもよく、複数のＭＡＣ処理部１１３全体であってもよい項目がある。このような項目もまた、複数のＭＡＣ処理部１１３を一括して扱うことができる項目に該当する。そのような項目の具体的な例としては、複数のＭＡＣ処理部１１３の各々のファームウェアの更新が挙げられる。
【００７４】
第１の実施の形態では、ＯＬＴ１０１は、ＯＮＵ１０２からグループＭＡＣリストおよび一括管理可能リストを取得する。図６は、ＯＬＴ１０１が、グループＭＡＣリストおよび一括管理可能リストを登録する処理の例を説明するためのシーケンス図である。
【００７５】
図６を参照して、ステップＳ１において、ＯＬＴ１０１とＯＮＵ１０２との間の接続が確立される。ＯＮＵ１０２がＰＯＮ回線１０３に物理的に接続された場合、あるいは、ＰＯＮ回線１０３に物理的に接続された状態でＯＮＵ１０２が起動した場合には、ＯＬＴ１０１は、ディスカバリ処理を実行することによりＰＯＮ回線１０３上のＯＮＵ１０２を検出する。さらにＯＬＴ１０１は、その検出されたＯＮＵ１０２をＯＬＴ１０１に登録するための登録処理を実行する。ＯＬＴ１０１とＯＮＵ１０２との間の接続の確立のために、たとえばＭＰＣＰ（Ｍｕｌｔｉ−Ｐｏｉｎｔ  Ｃｏｎｔｒｏｌ  Ｐｒｏｔｏｃｏｌ）が使用される。
【００７６】
ステップＳ２において、ＯＮＵ１０２は、グループＭＡＣリスト１１および一括管理可能リスト１２を生成する。このためにＯＮＵ１０２（たとえば制御部１１５）は、一括管理可能リスト１２に含まれるべき項目が、複数のＭＡＣ処理部１１３を一括して扱う項目であるか、または、複数のＭＡＣ処理部１１３を個別に扱う項目であるかを決定する。
【００７７】
図４に示したように、ＯＮＵ１０２は、グループＭＡＣリスト１１および一括管理可能リスト１２を記憶部１１６に保持する。さらに、ＯＮＵ１０２は、グループＭＡＣリスト１１および一括管理可能リスト１２をＯＬＴ１０１へ転送する。
【００７８】
ステップＳ３において、ＯＬＴ１０１は、ＰＯＮ回線１０３に接続された各々のＯＮＵ１０２から、グループＭＡＣリストおよび一括管理可能リストを受信して、そのグループＭＡＣリストおよび一括管理可能リストを記憶部１３６に登録する。各ＯＮＵ１０２からのグループＭＡＣリスト１１が、グループＭＡＣリスト２１として、ＯＬＴ１０１の記憶部１３６に登録される。ＯＬＴ１０１は、複数のＭＡＣ処理部１１３のグループ化に関する情報を自ら生成することなく取得可能である。
【００７９】
ＯＮＵ１０２からＯＬＴ１０１に送られた一括管理可能リスト１２は、ＯＬＴ１０１の記憶部１３６において、一括管理可能リスト２２として登録される。したがって記憶部１３６は、ＯＮＵ１０２ごとに一括管理可能リスト２２を保持する（図５を参照）。
【００８０】
図７は、ＯＬＴ１０１が、グループＭＡＣリストおよび一括管理可能リストを登録する処理の別の例を説明するためのシーケンス図である。図７を参照して、ステップＳ１において、ＯＬＴ１０１とＯＮＵ１０２との間の接続が確立される。ステップＳ２において、ＯＮＵ１０２は、グループＭＡＣリスト１１および一括管理可能リスト１２を生成する。ＯＮＵ１０２は、グループＭＡＣリスト１１および一括管理可能リスト１２をＯＬＴ１０１へ転送する。
【００８１】
ステップＳ３において、ＯＬＴ１０１は、ＯＮＵ１０２からグループＭＡＣリストおよび一括管理可能リストを受信する。ＯＬＴ１０１は、グループＭＡＣリストを記憶部１３６に登録する。
【００８２】
ステップＳ４において、ＯＬＴ１０１は、一括管理可能リストを作成するとともに、その一括管理可能リストをＯＮＵ１０２に転送する。
【００８３】
ステップＳ５において、ＯＬＴ１０１は、ＯＮＵ１０２から転送された一括管理可能リスト１２と、ＯＬＴ１０１が作成した一括管理可能リストとの論理積を取る。その結果が、当該ＯＮＵ１０２の一括管理可能リスト２２として記憶部１３６へ登録される。
【００８４】
ステップＳ６において、ＯＮＵ１０２は、ＰＯＮ回線１０３を通じてＯＬＴ１０１から受信した一括管理可能リストと、ＯＮＵ１０２自身が作成した一括管理可能リストとの論理積を取る。その結果が、一括管理可能リスト１２として記憶部１１６へ登録される。
【００８５】
すなわち、ＯＬＴ１０１は、ＯＮＵ１０２から受信した一括管理可能リストと、ＯＬＴ１０１自身が作成した一括管理可能リストとに基づいて、一括管理可能リスト２２に含まれるべき項目が、複数のＭＡＣ処理部１１３を一括して扱う項目であるか、または、複数のＭＡＣ処理部１１３を個別に扱う項目であるかを決定する。同様に、ＯＮＵ１０２は、ＯＬＴ１０１から受信した一括管理可能リストと、ＯＮＵ１０２自身が作成した一括管理可能リストとに基づいて、一括管理可能リスト１２に含まれるべき項目が、複数のＭＡＣ処理部１１３を一括して扱う項目であるか、または、複数のＭＡＣ処理部１１３を個別に扱う項目であるかを決定する。
【００８６】
これにより、ＯＬＴ１０１およびＯＮＵ１０２の各々では、一括管理可能リストを更新あるいは追加することができる。特に、図７に示したシーケンスによって、ＯＬＴ１０１の記憶部１３６およびＯＮＵ１０２の記憶部１１６に、同じ内容の一括管理可能リストを登録することができる。
【００８７】
図８は、ＯＬＴ１０１およびＯＮＵ１０２に登録されたグループＭＡＣリストおよび一括管理可能リストに基づく、ＯＬＴの管理の例を示したシーケンス図である。図８において、ＯＮＵ１０２の電源あるいはＭＡＣ処理部１１３の異常に関する監視が説明される。
【００８８】
ステップＳ１１，Ｓ１２において、複数のＭＡＣ処理部１１３のうちの代表のＭＡＣ処理部が、ＯＮＵ１０２の内部（ＭＡＣ処理部１１３あるいはＯＮＵ１０２の電源１１０）を監視する。
【００８９】
たとえば電源１１０において異常が発生する（ステップＳ１３）。代表のＭＡＣ処理部１１３に、電源１１０の異常の発生が通知される（ステップＳ１４）。
【００９０】
ステップＳ１５において、代表のＭＡＣ処理部１１３は、ＯＮＵ１０２の電源１１０に異常が発生したことをＯＬＴ１０１に通知する。ＯＬＴ１０１は、代表ＭＡＣ処理部１１３から通知を受ける。ＯＬＴ１０１は、記憶部１３６に記憶されたグループＭＡＣリスト２１および、そのＯＮＵ１０２に紐づけられた一括管理可能リスト２２を参照する。ＯＬＴ１０１は、異常を通知したＭＡＣ処理部１１３のＭＡＣアドレスから、異常が発生したＯＮＵ１０２を特定し、そのＯＮＵ１０２に異常が発生したことを検出する。
【００９１】
ステップＳ１６において、ＯＬＴ１０１は、管理装置１０７に、上記のＯＮＵ１０２に異常が発生したことを通知する。
【００９２】
基本的には、ＯＬＴ１０１あるいは管理装置１０７は、ＭＡＣアドレス単位で管理を実行する。ＯＮＵ１０２に発生した異常により、複数のＭＡＣ処理部１１３の各々が、その異常をＯＬＴ１０１に通知した場合には、ＯＬＴ１０１の管理が煩雑になる。
【００９３】
第１の実施の形態では、ＯＬＴ１０１，ＯＮＵ１０２は、ＭＡＣグループリスト１１および一括管理可能リスト１２を記憶する。ＯＮＵ１０２では、ＭＡＣグループリスト１１に従って、複数のＭＡＣ処理部１１３の中から代表のＭＡＣ処理部１１３が決定される。代表のＭＡＣ処理部１１３は、一括管理可能リスト１２にしたがって、ＯＮＵ１０２の内部の異常を監視する。
【００９４】
ＯＮＵ１０２の異常が検出された場合には、代表のＭＡＣ処理部１１３が、ＯＬＴ１０１に異常を通知する。したがって、複数のＭＡＣ処理部１１３の各々がＯＬＴ１０１に、同一の情報を送ることを回避することができる。これによりＯＬＴ１０１の管理が煩雑になることを回避することができる。ＯＬＴ１０１は、代表のＭＡＣ処理部１１３のＭＡＣアドレスと、ＭＡＣグループリスト２１の情報とから、異常が発生したＯＮＵ１０２を特定することができる。
【００９５】
図９は、ＯＬＴ１０１およびＯＮＵ１０２に登録されたグループＭＡＣリストおよび一括管理可能リストに基づく、ＯＬＴの管理の別の例を示したシーケンス図である。図９において、ＯＮＵ１０２の各ＭＡＣ処理部１１３のファームウェアの更新が説明される。
【００９６】
ステップＳ２１において、管理装置１０７からＯＬＴ１０１に、ＭＡＣ処理部１１３のファームウェアを更新するためのファイルが転送される。
【００９７】
ＯＬＴ１０１の制御部１３５は、一括管理可能リスト２２を参照して、ＭＡＣ処理部１１３のファームウェアを更新する処理が一括管理可能な処理であると判断する。さらに制御部１３５は、ＭＡＣグループリスト２１に従って、各ＯＮＵ１０２の代表のＭＡＣ処理部１１３を特定する。制御部１３５および通信処理部１３４は、代表のＭＡＣ処理部１１３に宛ててファイルを送信するよう送信処理を実行する。
【００９８】
ステップＳ２２において、ＯＬＴ１０１は、各ＯＮＵ１０２にファイルを転送する。各ＯＮＵ１０２では、代表ＭＡＣ処理部１１３がファイルを受信する。すなわちファームウェアがＯＮＵ１０２にダウンロードされる。
【００９９】
ステップＳ２３において、代表ＭＡＣ処理部１１３は、自身のファームウェアをアップグレードする。ステップＳ２４において、代表ＭＡＣ処理部１１３は、他のＭＡＣ処理部１１３のファームウェアのバージョンを確認する。具体的には、代表のＭＡＣ処理部１１３は、他のＭＡＣ処理部１１３に対して、ファームウェアのバージョンを問い合わせる。
【０１００】
ステップＳ２５において、問い合わせに応じて各々のＭＡＣ処理部１１３は、代表のＭＡＣ処理部１１３に、ファームウェアのバージョンを回答する。ステップＳ２６において、代表のＭＡＣ処理部１１３は、ファームウェアのアップグレードが必要なＭＡＣ処理部１１３に、更新用のファイルを転送する。通常では、１つのＯＮＵ１０２に含まれる複数のＭＡＣ処理部１１３の間では、ファームウェアのバージョンは同じである。ステップＳ２７において、各々のＭＡＣ処理部１１３は、自己のファームウェアを更新する。
【０１０１】
代表のＭＡＣ処理部１１３が決定されていない場合、ＯＬＴ１０１は、すべてのＭＡＣ処理部１１３に対してファームウェアのバージョンを確認する必要がある。さらに、ＯＬＴ１０１は、ファームウェアの更新の必要があるＭＡＣ処理部１１３に対して更新用のファイルを送信する必要がある。したがって、１台のＯＮＵ１０２に複数のＭＡＣ処理部１１３が含まれる場合には、ＯＬＴ１０１が、ＭＡＣ処理部１１３の数と同数のファイルをそのＯＮＵ１０２に対して送信する可能性がある。
【０１０２】
第１の実施の形態では、１つのＭＡＣ処理部１１３が複数のＭＡＣ処理部１１３を代表して、更新用のファームウェアをダウンロードする。そのＭＡＣ処理部１１３が、他のＭＡＣ処理部にファイルを転送する。したがってＯＬＴ１０１は、１台に含まれる複数のＭＡＣ処理部１１３を一括して管理することができる。
【０１０３】
（第２の実施の形態）
図１０は、本発明の第２の実施の形態に係るＯＮＵの構成の一例を示したブロック図である。図２および図１０を参照して、実施の形態２では、ＯＮＵ１０２は、ＭＡＣグループリストおよび一括管理可能リストを保持する記憶部１１６を有さない。この点において、実施の形態２は実施の形態１と相違する。第２の実施の形態では、ＯＬＴ１０１がＭＡＣグループリストおよび一括管理可能リストを保持する。
【０１０４】
図１１は、本発明の第２の実施の形態において、ＯＬＴ１０１が、グループＭＡＣリストおよび一括管理可能リストを登録する処理の例を説明するためのシーケンス図である。図１１を参照して、ステップＳ１において、ＯＬＴ１０１とＯＮＵ１０２との間の接続が確立される。ステップＳ３２において、管理装置１０７はＯＬＴ１０１にＭＡＣグループリストおよび一括管理可能リストを転送する。ＭＡＣグループリストおよび一括管理可能リストは、たとえばオペレータによって、管理装置１０７に入力されて、管理装置１０７からＯＬＴ１０１に転送される。ステップＳ３３において、ＯＬＴ１０１（たとえば制御部１３５）は、グループＭＡＣリストおよび一括管理可能リストを記憶部１３６に登録する。ＯＬＴ１０１は、複数のＭＡＣ処理部１１３のグループ化に関する情報を自ら生成することなく取得可能である。
【０１０５】
図１２は、ＯＬＴ１０１に登録されたグループＭＡＣリストおよび一括管理可能リストに基づく、ＯＬＴの管理の例を示したシーケンス図である。図１２において、ＯＮＵ１０２の電源１１０あるいはＭＡＣ処理部１１３の異常に関する監視が説明される。
【０１０６】
ステップＳ４１，Ｓ４２において、代表のＭＡＣ処理部を含む複数のＭＡＣ処理部１１３の各々が、たとえば電源１１０を監視する。
【０１０７】
電源１１０において異常が発生する（ステップＳ４３）。複数のＭＡＣ処理部１１３の各々に電源１１０の異常の発生が通知される（ステップＳ４４）。
【０１０８】
ステップＳ４５において、各々のＭＡＣ処理部１１３は、ＯＮＵ１０２の電源１１０に異常が発生したことをＯＬＴ１０１に通知する（ステップＳ４５）。
【０１０９】
ＯＬＴ１０１は、各ＭＡＣ処理部１１３から通知を受ける。ＯＬＴ１０１は、記憶部１３６に記憶されたグループＭＡＣリスト２１および一括管理可能リスト２２を参照して、各々のＭＡＣ処理部１１３から送られた情報を集約する（ステップＳ４５Ａ）。
【０１１０】
各々のＭＡＣ処理部１１３のＭＡＣアドレスおよびグループＭＡＣリスト２１から、ＯＬＴ１０１は、代表のＭＡＣ処理部１１３を特定することができる。これにより、各々のＭＡＣ処理部１１３から送られた情報を集約することができる。ＯＬＴ１０１は、集約した情報を管理装置１０７に転送する（ステップＳ４６）。複数のＭＡＣ処理部１１３の各々からは同一の情報がＯＬＴ１０１に送られる。ＯＬＴ１０１は、それらの情報が重複していると判断して、情報を１つにまとめることができる。したがって、ＯＬＴ１０１はＯＮＵ１０２を効率的に管理することができる。
【０１１１】
図１３は、ＯＬＴ１０１に登録されたグループＭＡＣリストおよび一括管理可能リストに基づく、ＯＬＴの管理の別の例を示したシーケンス図である。図１３において、ＯＮＵ１０２の各ＭＡＣ処理部１１３のファームウェアの更新が説明される。
【０１１２】
第２の実施の形態では、ＭＡＣ処理部１１３のファームウェアの更新は、ＭＡＣ処理部１１３ごとの個別処理である。ＯＬＴ１０１の記憶部１３６に、一括管理可能リスト２２が記憶される。一括管理可能リスト２２において、ファームウェアの更新が、個別処理であると登録される。制御部１３５は、一括管理可能リスト２２を参照することにより、ＭＡＣ処理部１１３のファームウェアの更新は個別処理であると判断する。
【０１１３】
ステップＳ２１において、管理装置１０７からＯＬＴ１０１に、ＭＡＣ処理部１１３のファームウェアを更新するためのファイルが転送される。ステップＳ４１において、ＯＬＴ１０１の制御部１３５は、ＯＮＵ１０２の各々のＭＡＣ処理部１１３に宛ててファイルを転送する。ステップＳ４２において、各ＭＡＣ処理部１１３は、自身のファームウェアを更新（アップグレード）する。
【０１１４】
以上のように第２の実施の形態によれば、ＯＮＵ１０２は、グループＭＡＣリストおよび一括管理可能リストを保持する必要がない。ＯＬＴ１０１において、各ＯＮＵのグループＭＡＣリストを保持するので、ＯＮＵ１０２の管理を容易にすることができる。
【０１１５】
今回開示された実施の形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【０１１６】
１１，２１  グループＭＡＣリスト
１２，２２  一括管理可能リスト
１００  ＰＯＮシステム
１０３  ＰＯＮ回線
１０４  光スプリッタ
１０５  幹線光ファイバ
１０６  支線光ファイバ
１０７  管理装置
１１０  電源
１１１，１３３  光トランシーバ
１１２  通信経路設定部
１１３  ＭＡＣ処理部
１１４  ＵＮＩポート
１１５，１３５  制御部
１１６，１３６  記憶部
１２１  集約部
１２２  分配部
１３１  ユーザ端末装置
１３４  通信処理部
Ｓ１〜Ｓ６，Ｓ１１〜Ｓ１６，Ｓ２１〜Ｓ２７，Ｓ３２，Ｓ３３，Ｓ４１〜Ｓ４６，Ｓ４５Ａ  ステップ
【図１】
2018023005.tif 000003
【図２】
2018023005.tif 000004
【図３】
2018023005.tif 000005
【図４】
2018023005.tif 000006
【図５】
2018023005.tif 000007
【図６】
2018023005.tif 000008
【図７】
2018023005.tif 000009
【図８】
2018023005.tif 000010
【図９】
2018023005.tif 000011
【図１０】
2018023005.tif 000012
【図１１】
2018023005.tif 000013
【図１２】
2018023005.tif 000014
【図１３】
2018023005.tif 000015